(57)【特許請求の範囲】
【請求項１】
第１端部（８）に画定された円形開口（６）を有し、内周に沿って、複数の間隙（１１）と、中心軸に向かって径方向内側に突出する環状で離間した複数の円弧部分（１４）とを画定している、管状本体（４）と、
前記管状本体の開口（６）を密封するように寸法決め及び形成されており、第１端部（１８Ａ）が、外周に沿って、中心軸から径方向外側に突出する環状で離間した複数の円弧部分（２０）と、複数の間隙とを画定している、蓋（１６）であって、前記管状本体の円弧部分（１４）が前記蓋の間隙に差し込まれるように構成されると共に、前記蓋の円弧部分（２０）が前記管状本体の間隙（１１）に差し込まれるように構成された、蓋（１６）と、
前記蓋（１６）を同軸で覆っており、該蓋の複数の円弧部分（２０）の間を軸方向に延伸すると共に環状に並置された複数の延伸部（２４）を有し、該各延伸部が、管状本体（４）に対する蓋（１６）の相対的な回転運動を防止するように該管状本体の間隙（１１）の中に選択的に偏倚される、リング部材（２２）と、
蓋（１６）の第２端部（２８Ａ）に位置し、管状本体（４）に対して延伸部（２４）を偏倚させるように構成された、少なくとも一つの弾性要素（３４）とを備えている、流体フィルタのための密封ケーシング（２）。
【請求項２】
蓋（１６）の第２端部（２８Ａ）が、少なくとも一つの弾性要素（３４）と協働する取っ手（３０）を含んでいる、請求項１に記載の密封ケーシング。
【請求項３】
リング部材（２２）が、蓋（１６）の第２端部（２８Ａ）の近くに位置し、取っ手（３０）と協働するように構成された、操作ハンドル（３２）を備えている、請求項２に記載の密封ケーシング。
【請求項４】
少なくとも一つの弾性要素（３４）が、取っ手（３０）と操作ハンドル（３２）との間に位置している、請求項３に記載の密封ケーシング。
【請求項５】
リング部材（２２）を蓋（１６）に対して軸方向に固定する安全装置（３８）を更に備えている、請求項１に記載の密封ケーシング。
【請求項６】
安全装置が、蓋の第２端部（２８Ａ）に画定されたねじ溝付き栓穴（３６）と係合し、該栓穴内に位置するとき、蓋（１６）の第２端部（２８Ａ）及びリング部材（２２）を固定するように形成された、排出栓（３８）である、請求項５に記載の密封ケーシング。
【請求項７】
開口（６）と蓋（１６）との間に介在する円環状継手（４２）を備えている、請求項５に記載の密封ケーシング。
【発明の詳細な説明】
【０００１】
【発明の属する技術分野】
本発明は、特に流体フィルタのための密封ケーシングであって、端部の１つに開口を有するケーシング本体、この開口を密封して閉塞することのできる蓋、前記ケーシング本体に蓋を固定する固定手段、および前記固定手段のロック／アンロック手段を含む、密封ケーシングに関する。
【０００２】
本発明は特に、航空技術の領域において、ターボ機械のオイル回路または燃料供給回路保護に当てられるシステムに適用される。例えば劣化して流体を汚染する粒子を生成することのある貯槽またはポンプのような、回路に沿って配置されたさまざまな装置に由来する可能性のあるあらゆる外的汚染から、回路を保護することが必要である。
【０００３】
【従来の技術】
ケーシング中に形成された自動制動される（ａｕｔｏ−ｆｒｅｉｎａｎｔ）、ねじとねじ山によって、前記ケーシングと蓋を組み立てて密封性が得られるようにした、密封システムが知られている。
【０００４】
しかしながら、これらのシステムは、メンテナンス作業のとき、特にフィルタを変更するために、ねじの締め付け／弛めを必要とし、これは必然的に時間が長い。さらに、蓋の取付け／取外し作業の繰り返しは、時間が経つにつれて自動制動されるねじ山の設置の悪化を招き、ケーシングの取替えを引き起こす可能性がある。
【０００５】
【発明が解決しようとする課題】
本発明の目的は、蓋の取付け／取外しとフィルタの取替えとを簡単にして、メンテナンス作業中におけるターボ機械の休止時間を短縮する、密封ケーシングを提案することである。
【０００６】
【課題を解決するための手段】
この目的は、本発明によれば、開口中に設けられた複数の溝中を滑動することができる、蓋の第１端部に形成された複数の径方向雄セクタ（ｓｅｃｔｅｕｒ  ｍａｌｅ  ｒａｄｉａｌ）と、前記蓋中に設けられた複数の溝中を滑動することのできる、前記開口中に形成された複数の径方向雄セクタとを含み、差込み式組立品を形成すること、また、ロック／アンロック手段が、前記蓋に軸方向に動くように取り付けられ、蓋の雄セクタ間に配置された複数の舌部を含み、各舌部は、蓋を固定位置に止めるため、前記ケーシング本体の開口の２つの径方向雄セクタの隣接する２つの端部を分離する間隙中に入れられることによって達成される。
【０００７】
この差込み式組立システムによって、蓋の取付けと取外しは、簡単な回転によって極めて容易に行なわれる。蓋とケーシング本体とに形成された、雄セクタと溝とが、２つであるときには、蓋をケーシング本体上に固定するか、または蓋を開放するために、蓋を４分の１回転だけ回すことで十分である。
【０００８】
舌部は、弾性手段によってロック位置の方向に力を加えられることが好ましい。
【０００９】
蓋がロック位置にあるとき、舌部がケーシング本体に対して弾性的に押し付けられて、蓋の回転を止めることができる。
【００１０】
蓋の第２端部が、取っ手を含むことが好ましい。
【００１１】
この取っ手によって、蓋を手でうまく掴むことができ、またケーシング本体での蓋の引き入れ回転作用が容易になる。
【００１２】
舌部を、取っ手の近くにある操作ハンドルに固定することが好ましい。
【００１３】
弾性手段が、取っ手と操作ハンドルとの間に挟在していることが好ましい。
【００１４】
したがって、舌部を開放するのに、操作ハンドルを取っ手に対して押し当てることで十分である。
【００１５】
舌部と操作ハンドルを、蓋と同心のリング上に形成することが好ましい。
【００１６】
このリングによって、舌部と弾性手段とを容易に実現可能な唯一の同じ装置に統合することができる。
【００１７】
ケーシングが、さらに排出栓を含むことが好ましい。
【００１８】
蓋とリングとを軸方向に固定するように配置されたこの排出栓によって、不時の外れを防止することができる。
【００１９】
開口と蓋との間に位置する円環状継手によって、密封性を確保することが好ましい。
【００２０】
蓋が、前記開口を貫通しまたは前記開口を取り囲むことにより、円環状継手を、ケーシング本体の開口中または蓋中に形成された環状くぼみ中に入れることができる。
【００２１】
本発明の他の特徴および利点は、限定されない例示として、添付の図面を参照して次に行なう説明を読むことによって明らかになろう。
【００２２】
【発明の実施の形態】
図１は、流体用、例えば燃料またはオイルのためのフィルタ（図示せず）を含む密封ケーシング２を形成する要素の組立品を示す。
【００２３】
密封ケーシング２は、軸Ａの周りに好ましくは円筒状のケーシング本体４を含み、第１端部８で僅かに広がることができる開口６を示す。この開口６は円形であり、ケーシング本体４とは同心である。
【００２４】
前記開口６の内径と同じまたはそれより大きな内径を示す環状溝１０が、開口６の内面において、前記開口６中に形成された円形肩部１２と雄セクタ１４との間に設けらている。この実施形態によれば、密封ケーシング２は、開口６の開口部に径方向に対向して配置された、２つの雄セクタ１４を含む。これらの雄セクタの各々は円弧の形を呈し、その円弧中心Ｏは、軸Ａ上に位置し、これらの雄セクタは９０°であることが好ましい頂角βを示す。雄セクタ１４の数によって、頂角αの値は異なる。隣接する２つの雄セクタ１４の間に含まれる空間は、中心Ｏと９０°であることが好ましい頂角αとを有する、円弧の形を呈する間隙１１を構成する。角度αと角度βとの総和は３６０°になる。間隙１１は、溝１０の直径とほぼ同じ直径を有する。
【００２５】
図１は、蓋１６を示し、該蓋１６は、第１端部１８Ａに円弧の形を呈する２つの雄セクタ２０を含み、円弧中心Ｏ’は軸Ａ上に位置し、雄セクタ２０は、頂角αと同じかこれよりも小さな頂角を示す。前記蓋１６はさらに、この蓋１６と同心でこの蓋を取り囲むリング２２を含む。このリング２２は、第１端部１８Ｂに円弧の形を呈する２つの舌部２４を含み、円弧中心Ｏ’は軸Ａ上に位置し、舌部２４は、頂角αと同じかこれよりも小さな頂角を示す。前記舌部２４は、間隙１１を貫通するように構成されている。
【００２６】
リング２２と蓋１６は、舌部２４が雄セクタ２０の間に置かれるように配置されている。リング２２の端部１８Ａと前記雄セクタ２０との間に含まれる空間は、ケーシング本体４中に形成された雄セクタ１４に対する滑動を可能にする溝２６を形成する。
【００２７】
各蓋１６とリング２２は、それぞれの他端部２８Ａ、２８Ｂに、取っ手３０と操作ハンドル３２を有する。前記取っ手３０と操作ハンドル３２との間に、弾性薄板３４が配置されている。
【００２８】
蓋１６は、リング２２を蓋１６に対して軸方向に維持できるようにする、密封排出栓３８と協働するように構成されているねじ溝付き穴３６を含む。
【００２９】
図２は、ロック位置にある蓋１６が取り付けられているケーシング２を示す。密封排出栓３８は、各蓋１６とリング２２の前部表面４０Ａ、４０Ｂとそれぞれ接触するまで、ねじ溝付き穴３６中にねじ込まれる。
【００３０】
密封ケーシング２を閉めるためには、使用者は排出栓３８を取り外して、自分の手の指を操作ハンドル３２の下に通して取っ手３０によって蓋１６を取り、雄セクタ２０を間隙１１と向き合わせるように前記蓋を向ける。
【００３１】
この位置で舌部２４は雄セクタ１４と向き合い、したがって、前記舌部２４を蓋１６の端部２８Ａに向かって戻す必要がある。これを行なうために、使用者は、弾性薄板３４を押圧して、前記操作ハンドル３２と取っ手３０との間にある距離を減らすように、操作ハンドル３２を押し付ける。
【００３２】
ここで、取っ手３０に対して操作ハンドル３２を支える使用者は、雄セクタ２０を間隙１１に沿って軸方向に滑動させることができる。次に使用者は、前記雄セクタ２０を溝１０中で旋回させて操作ハンドル３２を弛めるために、自分の手を４分の１回転だけ簡単に旋回させるだけで十分である。こうして、弾性薄板３４は弛められ、舌部２４が間隙１１を貫通して、肩部１２に支えられることが可能になる。雄セクタ２０と溝１０との組み合わせは、この位置で、舌部２４によって回転を阻止される差込み式組立て品を構成する。実際に、不意に回転する場合には、各舌部２４のそれぞれの端部２４Ａ、２４Ｂは、各間隙１１のそれぞれの端部１１Ａ、１１Ｂに対して支えられ、ケーシング本体４の溝１０中に入った蓋１６の雄セクタ２０を、ケーシング本体４の雄セクタ１４の下に閉じ込める。
【００３３】
リング２２が蓋１６に対して軸方向に滑動する危険性をすべて防ぐために、排出栓３８を、各蓋１６とリング２２の前部表面４０Ａ、４０Ｂとそれぞれ接触するまで、ねじ溝付き穴３６中にねじ込まれる。
【００３４】
図３に示される円環状継手４２が、蓋１６の周囲に蓋の端部１８Ａの近くに形成されることが好ましい環状くぼみ４４中に、事前に配置される。
【００３５】
図４は、ロック位置にある蓋１６が取り付けられている密封ケーシング２を示す。
【００３６】
蓋１６を取り外すには、使用者は前述の取付け方法の逆を行なう。使用者は、まず排出栓３８をねじって完全に外し、次いで操作ハンドル３２を取っ手３０に当てて支え、舌部２４を間隙１１から外に解放し、間隙１１から外に溝２０を引き出すために４分の１回転だけ回す。最後に、ケーシング本体４の開口６から蓋１６を完全に引き出した後に、操作ハンドル３２を弛めることができる。
【図面の簡単な説明】
【図１】本発明を示す分解斜視図である。
【図２】閉じた状態の密封ケーシング上面図である。
【図３】図２のＩＩＩ−ＩＩＩに沿って切断した断面図である。
【図４】一部が切り取られた密封ケーシングの斜視図である。
【符号の説明】
２  密封ケーシング
４  ケーシング本体
６  開口
８  第１端部
１０  環状溝
１１  間隙
１２  円形肩部
１４、２０  雄セクタ
１６  蓋
１８  第１端部
２２  リング
２４  舌部
２６  溝
２８  端部
３０  取っ手
３２  操作ハンドル
３４  弾性薄板
３６  ねじ溝付き穴
３８  密封排出栓
４０  リングの前部表面
４２  円環状継手
４４  環状くぼみ
【図１】
0004205881.tif 000002
【図２】
0004205881.tif 000003
【図３】
0004205881.tif 000004
【図４】
0004205881.tif 000005